(57)【要約】      （修正有）【課題】流体管路を備えた硬性内視鏡において、操作性を改善することができる硬性内視鏡を提供する。【解決手段】硬性内視鏡の手元操作部２０の基端部に口金５０を設け、口金５０に流体管路４８の先端部を接続する。また、流体管路４８の基端部に送水タンク、及びＣＯ２ボンベからなる洗浄水供給装置を接続し、照明窓６６及び観察窓６８、６８を洗浄水によって洗浄する。更に、口金５０の軸方向と挿入部２２の硬性部の軸方向とを平行に、好ましくは同一方向に設定し操作性を向上する。切替バルブを介してＣＯ２ボンベに接続し、照明窓６６、及び観察窓６８、６８をＣＯ２ガスによって乾燥する。また、手元操作部２０の基端側に、施術者が把持する基端筒部４４とフランジ部４６とを備えて、口金５０に接続される流体管路４８が施術者に誤って握り潰されるのを防止する。【選択図】図２
2012045326.tif 000002
【特許請求の範囲】
【請求項１】
操作部と、
該操作部の先端部に接続された硬性部を有する挿入部と、
前記挿入部の先端面に設けられた流体を噴出する流体噴出口と、
前記挿入部の内部に設けられ、先端側が前記流体噴出口に接続された管路と、
前記操作部の基端部に設けられ、前記管路の基端部と接続された口金であって、該口金の長手軸が前記挿入部の硬性部の長手軸と平行に設けられた口金と、
からなることを特徴とする硬性内視鏡。
【請求項２】
前記管路の軸と前記口金の長手軸とが略同一軸線上になるように前記管路と前記口金とが配置されている請求項１に記載の硬性内視鏡。
【請求項３】
前記流体管路の基端部は、洗浄水供給装置に接続されている請求項１又は２に記載の硬性内視鏡。
【請求項４】
前記流体管路は、切替バルブを介してガス供給装置に接続されている請求項１、２又は３に記載の硬性内視鏡。
【請求項５】
前記操作部の基端側にはフランジ部が備えられ、該フランジ部の基端部に前記口金が設けられている請求項１〜４のいずれかに記載の硬性内視鏡。
【請求項６】
前記操作部は、操作部材が設けられた操作部本体と、該操作部本体に基端部が管を介して連結されるとともに先端部に前記挿入部が接続された把持部とからなる請求項１〜５のいずれかに記載の硬性内視鏡。
【発明の詳細な説明】
【技術分野】
【０００１】
本発明は硬性内視鏡に係り、特に挿入部の先端面に配置された照明窓、及び観察窓を洗浄水によって洗浄する洗浄装置を備えた硬性内視鏡に関する。
【背景技術】
【０００２】
腹腔鏡下外科手術に用いられる硬性内視鏡として特許文献１に開示された硬性内視鏡は、挿入部の先端面に配置された透明の照明窓、及び観察窓を洗浄水によって洗浄する洗浄装置を備えている。
【０００３】
この洗浄装置は、前記挿入部が挿入される送水シースを備えている。送水シースの基端部には筒状の接続部が配置され、この接続部の側部に送水チューブが接続されている。この送水チューブは外部の送水タンクに接続され、この送水タンクに送気チューブを介してガスが供給されることにより、ガスの圧力によって送水タンクに溜められた洗浄水が、送水チューブを介して接続部に送水される。接続部に送られた洗浄水は、挿入部と送水シースとの間の隙間に導入された後、この隙間を送水路として利用して挿入部の先端側に導かれる。これにより、前記照明窓、及び観察窓が洗浄水によって洗浄される。
【０００４】
また、挿入部の基端部が接続された硬性内視鏡の操作部には、内部にライトガイド、通信ケーブル、及び電気ケーブルが結束されたユニバーサルケーブルが接続されており、このユニバーサルケーブルのコネクタが、光源装置及びプロセッサ装置に接続される。ユニバーサルケーブルとは、ライトガイド、通信ケーブル、及び電気ケーブルが結束されたケールブを一般的に称するが、ライトガイド、通信ケーブル、及び電気ケーブルのうち少なくとも一つが挿通されたケーブルであってもよい。
【０００５】
一方、特許文献２に開示された硬性内視鏡は、シースの接続管体に送水口体と送気口体とが設けられ、この送水口体と送気口体を介して送気・送水管路が接続されている。この硬性内視鏡によれば、送水口体に設けられた送水ボタンを開放することにより、洗浄液がシース側に供給され、送気口体に設けられた送気ボタンを開放することにより、ガスがシース側に供給されるように構成されている。
【先行技術文献】
【特許文献】
【０００６】
【特許文献１】特開２００９−１８９４９６号公報
【特許文献２】特開平５−２６９０７９号公報
【発明の概要】
【発明が解決しようとする課題】
【０００７】
特許文献１、２に共通する構成は、シースの接続部の側部に送水チューブ等の流体管路が接続されている点にある。この位置に流体管路が接続されていると、硬性内視鏡を操作する施術者は、硬性内視鏡の操作時に流体管路が手や腕に当たるため邪魔になるという問題があった。特に、特許文献１の硬性内視鏡は流体管路の他、ユニバーサルケーブルも備えており、また、流体管路とユニバーサルケーブルの延出（軸）方向も異なるので、施術者は流体管路とユニバーサルケーブルを気にしながら硬性内視鏡を操作しなければならなかった。更に、挿入部の軸を中心に硬性内視鏡を回動操作すると、流体管路がシースに巻き付くため操作性に問題があった。
【０００８】
本発明はこのような事情に鑑みてなされたもので、流体管路を備えた硬性内視鏡において、操作性を改善することができる硬性内視鏡を提供することを目的とする。
【課題を解決するための手段】
【０００９】
前記目的を達成するために、本発明に係る硬性内視鏡は、操作部と、該操作部の先端部に接続された硬性部を有する挿入部と、前記挿入部の先端面に設けられた流体を噴出する流体噴出口と、前記挿入部の内部に設けられ、先端側が前記流体噴出口に接続された管路と、前記操作部の基端部に設けられ、前記管路の基端部と接続された口金であって、該口金の長手軸が前記挿入部の硬性部の長手軸と平行に設けられた口金と、からなることを特徴とする。
【００１０】
本発明によれば、内視鏡本体の操作部の基端部に口金を設け、この口金に流体管路の先端部を接続している。これにより、硬性内視鏡の操作時に流体管路が施術者の手や腕に容易に当たる問題を解消することができる。また、挿入部の軸を中心に硬性内視鏡を回動操作しても、流体管路は操作部やシースに巻き付かないので、流体管路の引き回しが容易になる。よって、本発明によれば、硬性内視鏡の操作性を改善することができる。
【００１１】
更にまた、本発明によれば、口金の長手軸が挿入部の硬性部の長手軸と平行に設けられているので、硬性内視鏡の操作性が向上する。
【００１２】
また、本発明は、前記管路の軸と前記口金の長手軸とが略同一軸線上になるように前記管路と前記口金とが配置されていることが好ましい。
【００１３】
本発明によれば、口金から管路に洗浄ブラシが入り易くなるため、洗浄ブラシによる管路の洗浄性が向上する。
【００１４】
本発明の前記流体管路の基端部は、洗浄水供給装置に接続されていることが好ましい。
【００１５】
本発明によれば、流体管路の基端部に洗浄水供給装置を接続したので、洗浄水供給装置からの洗浄水が前記口金に供給される。よって、挿入部の先端部に設けられている照明窓、及び観察窓が前記洗浄水によって洗浄される。
【００１６】
本発明の前記流体管路は、切替バルブを介してガス供給装置に接続されていることが好ましい。
【００１７】
本発明によれば、切替バルブを操作して洗浄水供給装置側を閉に、ガス供給装置側を開にすると、ガス供給装置からのガスが口金に供給される。よって、挿入部の先端部に設けられている照明窓、及び観察窓が前記ガスによって乾燥される。ガスとしては、患者保護の観点からＣＯ２ガスが好ましい。
【００１８】
本発明の前記操作部の基端側にはフランジ部が備えられ、該フランジ部の基端部に前記口金が設けられていることが好ましい。
【００１９】
本発明によれば、操作部の基端側に、施術者が把持するフランジ部を備えたので、口金に接続される流体管路が施術者に誤って握り潰されるのを防止することができる。
【００２０】
本発明の前記操作部は、操作部材が設けられた操作部本体と、該操作部本体に基端部が管を介して連結されるとともに先端部に前記挿入部が接続された把持部とからなることが好ましい。
【００２１】
本発明の硬性内視鏡は、操作部を操作部本体と把持部とに分割し、操作部本体と把持部とを管を介して連結したものであってもよい。この硬性内視鏡によれば、施術者は一方の手で操作部本体を把持し、他方の手で把持部を把持し、この状態で操作部本体の操作部材を操作することができるので、操作の安定性を図ることができる。
【００２２】
内視鏡本体の操作部の基端部に口金を設けることにより、内視鏡内部に設置される管路が短くなるため、滅菌性が向上する。
【発明の効果】
【００２３】
本発明の硬性内視鏡によれば、内視鏡本体の操作部の基端部に口金を設け、この口金に流体管路の先端部を連結したので、流体管路を備えた硬性内視鏡において、操作性を改善することができる。
【図面の簡単な説明】
【００２４】
【図１】実施の形態の硬性内視鏡が適用された内視鏡システムの構成図
【図２】図１に示した硬性内視鏡の斜視図
【図３】図１に示した硬性内視鏡の側面図
【図４】図１に示した硬性内視鏡の先端硬質部の先端面の正面図
【図５】生理的食塩水とＣＯ２ガスの供給系を示した構成図
【図６】手元操作部を２分割した硬性内視鏡の側面図
【発明を実施するための形態】
【００２５】
以下、添付図面に従って本発明に係る硬性内視鏡の好ましい実施の形態について詳説する。
【００２６】
図１は、実施の形態の硬性内視鏡１０が適用された内視鏡システム１２の構成図である。
【００２７】
同図に示す内視鏡システム１２は、硬性内視鏡１０、プロセッサ装置１４、光源装置１６、及びモニタ１８から構成される。
【００２８】
硬性内視鏡１０は、施術者が把持する手元操作部（操作部）２０と、腹腔内に挿入される挿入部２２とを備えた内視鏡本体２４、及び挿入部２２が挿入されるシース２６から構成される。施術時においては、挿入部２２がシース２６に挿入され、このシース２６が、患者の腹壁に貫通されたトラカール（不図示）に挿入される。これにより、挿入部２２の先端が腹腔内に挿入される。
【００２９】
挿入部２２は、手元操作部２０の先端部に接続されており、基端から先端に向けて硬性部２８、湾曲部３０、及び先端硬質部３２を備えている。湾曲部３０は、周知の如くリング状に構成された複数の湾曲駒を連結して構成されており、手元操作部２０に回動自在に取り付けられたアングルノブ（操作部材）３４を回動操作することにより、挿入部２２内に挿設されたワイヤが押し引きされて、上下方向又は左右方向に湾曲動作する。これにより、先端硬質部３２が腹腔内で所望の方向に向けられる。
【００３０】
手元操作部２０は、挿入部２２よりも大径の筒状に構成される。この手元操作部２０は図２、図３に示すように先端筒部３６、中央筒部４２、及び基端筒部４４から構成されている。先端筒部３６には送水ボタン３８、及び送気ボタン４０が取り付けられ、中央筒部４２にはアングルノブ３４が回動自在に取り付けられている。また、基端筒部４４は、施術者が実際に把持するグリップ部として機能し、このグリップ部の端部にはフランジ状のグリップエンド４６が形成されている。
【００３１】
基端筒部４４の基端側端面４５には、流体管路４８の先端部が接続される筒状の口金５０が設けられている。この口金５０は図３の如く、挿入部２２の硬性部２８の周面に開口された噴出孔５２に、破線で示す管路５４を介して接続されている。管路５４は、手元操作部２０の内部に配設され、流体管路４８から口金５０を介して送られてくる洗浄液、及びガスを噴出孔５２から外部に噴出させる。流体管路４８については後述する。なお、実施の形態では、硬性部２８の周面に噴出孔５２を設けたが、これに限定されるものではなく、管路５４を挿入部２８の全長に延設し、挿入部２８の先端硬質部３２の先端面３５に噴出孔５２を設けてもよい。
【００３２】
一方、基端筒部４４の基端側端面４５には、口金５０に隣接してユニバーサルケーブル５６が折れ止め部材５８を介して接続されている。このユニバーサルケーブル５６の軸方向と口金５０の軸方向（長手軸）は同一方向であり、かつ、口金５０の軸方向と挿入部２２の硬性部２８の軸方向（長手軸）とは平行に、好ましくは同一方向に設定されている。また、折れ止め部材５８の長さは、流体管路４８の捩じれ・折れを防止するために、口金５０の長さよりも長く設定されている。
【００３３】
ユニバーサルケーブル５６の端部には、図１の如くＬＧコネクタ６０が接続される。ＬＧコネクタ６０の側部には信号ケーブル６２が延出され、この信号ケーブル６２の端部には電気コネクタ６４が接続されている。ＬＧコネクタ６０は光源装置１６のコネクタ（不図示）に接続され、電気コネクタ６４はプロセッサ装置１４のコネクタ（不図示）に接続される。また、プロセッサ装置１４は、光源装置１６とモニタ１８に電気的に接続されており、内視鏡本体２４が撮像した画像データを画像処理し、モニタ１８にその画像を表示させる。
【００３４】
挿入部２２の先端硬質部３２の図４に示す先端面３５には、被写体光を取り込むための観察窓６６が設けられる。観察窓６６の内側には、つまり、先端硬質部３２の内部には、結像用光学系と固体撮像素子を備えた撮像モジュールが設けられている。この撮像モジュールには、図１に示した信号ケーブル６２の基端部が接続されている。すなわち、信号ケーブル６２は、ユニバーサルケーブル５６、手元操作部２０、及び挿入部２２に挿通されて前記撮像モジュールに接続されている。
【００３５】
また、図４に示すように、照明光を被写体に照射するための照明窓６８、６８が観察窓６６を挟んで設けられている。照明窓６８、６８の内側には、つまり、先端硬質部３２の内部には、ライトガイドの光出射面が照明窓６８、６８に対向配置されている。このライドガイドは、挿入部２２、手元操作部２０、及びユニバーサルケーブル５６に挿通されてＬＧコネクタ６０に接続されている。
【００３６】
ところで、手元操作部２０の基端部の口金５０に接続された流体管路４８は、図５に示すように、二股に分岐されている。分岐された一方の管路４８Ａは、送水タンク７０に取り付けられ、他方の管路４８Ｂは切替バルブ７２を介してガス管７４に接続されている。このガス管７４に、ＣＯ２ボンベ７６が接続されている。また、切替バルブ７２には、ＣＯ２ボンベ７６のＣＯ２ガスを送水タンク７０に供給する管路７８が接続されている。この送水タンク７０には、洗浄水である生理的食塩水８０が溜められている。また、ガス管７４には、ＣＯ２ガスの供給を実行／停止するバルブ８２が取り付けられている。
【００３７】
切替バルブ７２とバルブ８２とは、送水ボタン３８及び送気ボタン４０の操作によって動作が制御されている。
【００３８】
すなわち、送水ボタン３８をＯＮ操作すると、バルブ８２が開放されるとともに、切替バルブ７２が動作されて管路７８側が開放され、管路４８Ｂ側が閉鎖される。これにより、ＣＯ２ボンベ７６からのＣＯ２ガスが、ガス管７４から管路７８を介して送水タンク７０に供給されるので、送水タンク７０の生理的食塩水８０が管路４８Ａから流体管路４８に供給される。したがって、生理的食塩水８０は、図１の口金５０から管路５４を介して噴出孔５２から外部に噴出し、その後、挿入部２２とシース２６との間の隙間を通過し、図４に示した観察窓６６、及び照明窓６８、６８に向けて流れる。これによって、観察窓６６、及び照明窓６８、６８が生理的食塩水８０によって洗浄される。なお、送水ボタン３８をＯＦＦ操作すると、バルブ８２が閉鎖される。これによって、生理的食塩水８０による洗浄動作が停止される。
【００３９】
また、図５の送気ボタン４０をＯＮ操作すると、バルブ８２が開放されるとともに、切替バルブ７２が動作されて管路７８側が閉鎖され、管路４８Ｂ側が開放される。これにより、ＣＯ２ボンベ７６からのＣＯ２ガスが、ガス管７４から管路４８Ｂを介して流体管路４８に供給される。したがって、ＣＯ２ガスは、図１の口金５０から管路５４を介して噴出孔５２から外部に噴出し、その後、挿入部２２とシース２６との間の隙間を通過し、挿入部２２の先端硬質部３２に向けて流れ、図４に示した観察窓６６、及び照明窓６８、６８に吹き出される。これにより、観察窓６６、及び照明窓６８、６８がＣＯ２ガスによって乾燥される。なお、送気ボタン４０をＯＦＦ操作すると、バルブ８２が閉鎖される。これによって、ＣＯ２ガスによる乾燥動作が停止される。
【００４０】
図１に示すようにシース２６は、チューブ８４と、チューブ８４の基端部に接続された接続部８６とからなる。チューブ８４に挿入部２２が挿入され、接続部８６が手元操作部２０側に着脱自在に接続される。
【００４１】
次に、実施の形態の硬性内視鏡１０の特徴について述べる。
【００４２】
この硬性内視鏡１０によれば、手元操作部２０の基端部に口金５０を設け、口金５０に流体管路４８の先端部を接続している。これにより、硬性内視鏡１０の操作時に流体管路４８が施術者の手や腕に容易に当たる問題を解消することができる。
【００４３】
また、挿入部２２の軸を中心に硬性内視鏡１０を回動操作しても、流体管路４８は手元操作部２０やシース２６に巻き付き難くなるので、流体管路４８の引き回しが容易になる。よって、実施の形態の硬性内視鏡１０によれば、操作性を改善することができる。
【００４４】
更に、この硬性内視鏡１０によれば、流体管路４８の基端部に送水タンク７０、及びＣＯ２ボンベ７６からなる洗浄水供給装置を接続したので、洗浄水供給装置からの生理的食塩水８０が口金５０に供給される。よって、挿入部２２の先端部に設けられている観察窓６６、及び照明窓６８、６８を生理的食塩水８０によって洗浄することができる。
【００４５】
また、この硬性内視鏡１０によれば、口金５０の軸方向とユニバーサルケーブル５６の軸方向を、挿入部２２の軸方向と同一方向に設定したので、硬性内視鏡１０の操作性が更に向上するとともに、口金５０から操作部２０を介して挿入部２２に洗浄ブラシが入り易くなるため、洗浄ブラシによる口金５０と管路５４の洗浄性も向上する。
【００４６】
また、管路５４を挿入部２８の全長に延設し、挿入部２８の先端硬質部３２の先端面３５に噴出孔５２を設けた形態においては、口金５０の軸方向と管路５４の軸方向とが略同一軸線上になるように口金５０と管路５４とを配置させることにより、口金５０から管路５４に洗浄ブラシが入り易くなるため、洗浄ブラシによる管路５４の洗浄性も向上する。
【００４７】
更に、この硬性内視鏡１０によれば、切替バルブ７２を介してＣＯ２ボンベ（ガス供給装置）７６に接続したので、観察窓６６、及び照明窓６８、６８をＣＯ２ガスによって乾燥することができる。
【００４８】
更にまた、この硬性内視鏡１０によれば、手元操作部２０の基端側に、施術者が把持する基端筒部４４（グリップ部）を備えたので、口金５０に接続される流体管路４８が施術者に誤って握り潰されるのを防止することができる。
【００４９】
図６は、他の実施の形態の硬性内視鏡９０の構成を示した側面図であり、図１〜図５に示した硬性内視鏡１０と同一又は類似の部材については同一の符号を付して説明する。
【００５０】
同図に示す硬性内視鏡９０の手元操作部９２は、アングルノブ３４が設けられた操作部本体９４と把持部９６とからなり、操作部本体９４と把持部９６とが管（硬性管でも軟性管でもよい）９８を介して連結されて構成される。すなわち、把持部９６の基端部が操作部本体９４に管９８を介して連結され、把持部９６の先端部に挿入部２２が接続されている。
【００５１】
この硬性内視鏡９０によれば、施術者は一方の手で操作部本体９４を把持し、他方の手で把持部９６を把持し、この状態で操作部本体９４のアングルノブ３４、送水ボタン３８、及び送気ボタン４０を操作することができるので、硬性内視鏡９０の操作が安定する。
【００５２】
なお、実施の形態では、挿入部２２の周面に噴出孔５２を形成したが、シースに送気・送水管を設けて、この送気・送水管と管路５４とをジョイントによって接続してもよい。送気・送水管はシース２６の先端部まで延設されており、その出口に噴出孔を形成し、この噴出孔から噴出される洗浄水、ガスによって観察窓６８、照明窓６８、６８を洗浄・乾燥する。
【符号の説明】
【００５３】
１０…硬性内視鏡、１２…内視鏡システム、１４…プロセッサ装置、１６…光源装置、１８…モニタ、２０…手元操作部、２２…挿入部２２…内視鏡本体、２６…シース、２８…硬性部、３０…湾曲部、３２…先端硬質部、３４…アングルノブ、３５…先端面、３６…先端筒部、３８…送水ボタン、４０…送気ボタン、４２…中央筒部、４４…基端筒部、４５…基端側端面、４６…グリップエンド、４８…流体管路、４８Ａ…管路、４８Ｂ…管路、５０…口金、５２…噴出孔、５４…管路、５６…ユニバーサルケーブル、５８…折れ止め部材、６０…ＬＧコネクタ、６２…信号ケーブル、６４…電気コネクタ、６６…観察窓、６８…照明窓、７０…送水タンク、７２…切替バルブ、７４…ガス管、７６…ＣＯ２ボンベ、７８…管路、８０…生理的食塩水、８２…バルブ、８４…チューブ、８６…接続部、９０…硬性内視鏡、９２…手元操作部、９６…把持部、９８…管
【図１】
2012045326.tif 000003
【図２】
2012045326.tif 000004
【図３】
2012045326.tif 000005
【図４】
2012045326.tif 000006
【図５】
2012045326.tif 000007
【図６】
2012045326.tif 000008